(57)【要約】【課題】収納ケース内に基板をスムーズに収納するとともに、収納後の基板を収納ケース内から外れにくくする。【解決手段】収納ケース２０の対向する一対の側壁２１には、一対の突出部２５が設けられている。一対の突出部２５は、収納ケース２０の底面に向かって突出量が小さくなるように円弧状に窪んでいる。そして、基板１６の長さＬ、収納ケース２０の底面側における一対の側壁２１間の距離Ｄ、一対の突出部２５間の距離が最小となる最小間隔ａ、左側の側壁２１と底面との隅部から右側の側壁２１の突出部２５の円弧面までの距離ｒが、Ｄ≧Ｌ、ｒ≧Ｌ＞ａという条件を満たすように設定されている。【選択図】図３
2020053211.tif 000002
【特許請求の範囲】
【請求項１】
上方が開口した箱状に形成されて内部に基板が収納される収納ケースを備えた点灯装置であって、
前記収納ケースの複数の側壁のうち対向する一対の側壁には、該収納ケースの底面から上方に離れた位置で該収納ケースの内部に突出した一対の突出部が設けられ、
前記一対の突出部のうち少なくとも一方は、前記収納ケースの底面に向かって突出量が小さくなるように円弧状に窪んでおり、
前記基板の長さＬ、前記収納ケースの底面側における前記一対の側壁間の距離Ｄ、前記一対の突出部間の距離が最小となる最小間隔ａ、該一対の側壁のうち一方の側壁と底面との隅部から他方の側壁の突出部の円弧面までの距離ｒが、
Ｄ≧Ｌ、ｒ≧Ｌ＞ａ
という条件を満たすように設定されている点灯装置。
【請求項２】
請求項１において、
前記一対の突出部のそれぞれは、前記収納ケースの底面に向かって突出量が小さくなるように円弧状に窪んでいる点灯装置。
【請求項３】
上方が開口した箱状に形成されて内部に基板が収納される収納ケースを備えた点灯装置であって、
前記収納ケースの複数の側壁のうち対向する一対の側壁には、該収納ケースの底面から上方に離れた位置で該収納ケースの内部に突出した一対の突出部が設けられ、
前記一対の突出部のうち少なくとも一方は、前記収納ケースの底面に向かって突出量が小さくなるように仮想円弧面に沿って階段状に窪んでおり、
前記基板の長さＬ、前記収納ケースの底面側における前記一対の側壁間の距離Ｄ、前記一対の突出部間の距離が最小となる最小間隔ａ、該一対の側壁のうち一方の側壁と底面との隅部から他方の側壁の突出部の仮想円弧面までの距離ｒが、
Ｄ≧Ｌ、ｒ≧Ｌ＞ａ
という条件を満たすように設定されている点灯装置。
【請求項４】
請求項３において、
前記一対の突出部のそれぞれは、前記収納ケースの底面に向かって突出量が小さくなるように仮想円弧面に沿って階段状に窪んでいる点灯装置。
【請求項５】
請求項１乃至４のうち何れか１つにおいて、
前記収納ケースの底面から上方に離れた位置で前記基板を支持するスペーサ部をさらに備えた点灯装置。
【発明の詳細な説明】
【技術分野】
【０００１】
本発明は、点灯装置に関するものである。
【背景技術】
【０００２】
従来より、ＬＥＤを点灯させる点灯回路の配線基板と、配線基板を保持する樹脂ケースとを備えた照明器具が知られている（例えば、特許文献１参照）。
【０００３】
特許文献１には、樹脂ケースの開口端部に突出部が設けられており、配線基板を突出部に押し当てながら突出部を弾性変形させることで、配線基板を樹脂ケース内に嵌め込んで保持するようにした構成が開示されている。
【先行技術文献】
【特許文献】
【０００４】
【特許文献１】特開２０１２−１１３９０６号公報
【発明の概要】
【発明が解決しようとする課題】
【０００５】
しかしながら、従来のように、配線基板を突出部に押し当てながら樹脂ケース内に嵌め込むと、突出部から配線基板に向かって応力が生じ、配線基板にストレスが加わることとなる。
【０００６】
本発明は、かかる点に鑑みてなされたものであり、その目的は、収納ケース内に基板をスムーズに収納するとともに、収納後の基板を収納ケース内から外れにくくすることにある。
【課題を解決するための手段】
【０００７】
第１の発明は、上方が開口した箱状に形成されて内部に基板が収納される収納ケースを備えた点灯装置であって、前記収納ケースの複数の側壁のうち対向する一対の側壁には、該収納ケースの底面から上方に離れた位置で該収納ケースの内部に突出した一対の突出部が設けられ、前記一対の突出部のうち少なくとも一方は、前記収納ケースの底面に向かって突出量が小さくなるように円弧状に窪んでおり、前記基板の長さＬ、前記収納ケースの底面側における前記一対の側壁間の距離Ｄ、前記一対の突出部間の距離が最小となる最小間隔ａ、該一対の側壁のうち一方の側壁と底面との隅部から他方の側壁の突出部の円弧面までの距離ｒが、Ｄ≧Ｌ、ｒ≧Ｌ＞ａという条件を満たすように設定されているものである。
【０００８】
第１の発明では、収納ケースの対向する一対の側壁には、一対の突出部が設けられている。一対の突出部のうち少なくとも一方は、収納ケースの底面に向かって突出量が小さくなるように円弧状に窪んでいる。そして、収納ケースの各寸法が、基板の長さに対して上述した条件を満たすように設定されている。
【０００９】
ここで、収納ケース内に基板を収納する際には、まず、収納ケースの上方の開口から一方の側壁と底面との隅部に向かって基板を斜めに挿入して、基板の一端部を収納ケースの隅部に当接させる。そして、基板の一端部を収納ケースの隅部に当接させた状態のまま、収納ケースの隅部を中心として、基板の他端部を収納ケースの底面に向かって回転させていく。
【００１０】
このとき、基板の他端部は、突出部の円弧面に沿って移動するので、基板と突出部の円弧面とが引っ掛かることはなく、収納ケース内に基板をスムーズに収納することができる。
【００１１】
そして、収納ケースの底面と基板とが平行な状態となり、収納ケース内に基板が収納された後は、例えば、収納ケースをひっくり返したとしても、基板の両端部が突出部に引っ掛かるため、基板が収納ケース内から外れにくくなる。これにより、点灯装置の組み立て作業中に、基板が収納ケースから脱落するのを抑えることができる。
【００１２】
第２の発明は、第１の発明において、前記一対の突出部のそれぞれは、前記収納ケースの底面に向かって突出量が小さくなるように円弧状に窪んでいる。
【００１３】
第２の発明では、一対の突出部のそれぞれが円弧状に窪んでいる。そのため、収納ケースの一方又は他方のどちらの方向からでも、収納ケース内に基板を斜めに挿入して回転させることができ、作業性が向上する。
【００１４】
第３の発明は、上方が開口した箱状に形成されて内部に基板が収納される収納ケースを備えた点灯装置であって、前記収納ケースの複数の側壁のうち対向する一対の側壁には、該収納ケースの底面から上方に離れた位置で該収納ケースの内部に突出した一対の突出部が設けられ、前記一対の突出部のうち少なくとも一方は、前記収納ケースの底面に向かって突出量が小さくなるように仮想円弧面に沿って階段状に窪んでおり、前記基板の長さＬ、前記収納ケースの底面側における前記一対の側壁間の距離Ｄ、前記一対の突出部間の距離が最小となる最小間隔ａ、該一対の側壁のうち一方の側壁と底面との隅部から他方の側壁の突出部の仮想円弧面までの距離ｒが、Ｄ≧Ｌ、ｒ≧Ｌ＞ａという条件を満たすように設定されているものである。
【００１５】
第３の発明では、収納ケースの対向する一対の側壁には、一対の突出部が設けられている。一対の突出部のうち少なくとも一方は、収納ケースの底面に向かって突出量が小さくなるように仮想円弧面に沿って階段状に窪んでいる。そして、収納ケースの各寸法が、基板の長さに対して上述した条件を満たすように設定されている。
【００１６】
ここで、収納ケース内に基板を収納する際には、まず、収納ケースの上方の開口から一方の側壁と底面との隅部に向かって基板を斜めに挿入して、基板の一端部を収納ケースの隅部に当接させる。そして、基板の一端部を収納ケースの隅部に当接させた状態のまま、収納ケースの隅部を中心として、基板の他端部を収納ケースの底面に向かって回転させていく。
【００１７】
このとき、基板の他端部は、突出部の仮想円弧面に沿って移動するので、基板と突出部の階段状の段差部とが引っ掛かることはなく、収納ケース内に基板をスムーズに収納することができる。
【００１８】
そして、収納ケースの底面と基板とが平行な状態となり、収納ケース内に収納された後は、例えば、収納ケースをひっくり返したとしても、基板の両端部が突出部に引っ掛かるため、基板が収納ケース内から外れにくくなる。これにより、点灯装置の組み立て作業中に、基板が収納ケースから脱落するのを抑えることができる。
【００１９】
第４の発明は、第３の発明において、前記一対の突出部のそれぞれは、前記収納ケースの底面に向かって突出量が小さくなるように仮想円弧面に沿って階段状に窪んでいるものである。
【００２０】
第４の発明では、一対の突出部のそれぞれが仮想円弧面に沿って階段状に窪んでいる。そのため、収納ケースの一方又は他方のどちらの方向からでも、収納ケース内に基板を斜めに挿入して回転させることができ、作業性が向上する。
【００２１】
第５の発明は、第１乃至第４の発明のうち何れか１つにおいて、前記収納ケースの底面から上方に離れた位置で前記基板を支持するスペーサ部をさらに備えたものである。
【００２２】
第５の発明では、収納ケース内に収納された基板は、スペーサ部によって、収納ケースの底面から上方に離れた位置に支持される。これにより、基板の下面に電子部品が実装されていても、電子部品が収納ケースの底面に干渉しないようにすることができる。
【発明の効果】
【００２３】
本発明によれば、収納ケース内に基板をスムーズに収納するとともに、収納後の基板を収納ケース内から外れにくくすることができる。
【図面の簡単な説明】
【００２４】
【図１】本実施形態１に係る点灯装置を備えた照明器具の構成を示す斜視図である。
【図２】収納ケースの構成を示す斜視図である。
【図３】収納ケースの構成を示す正面断面図である。
【図４】本実施形態２に係る収納ケースの構成を示す正面断面図である。
【図５】本実施形態３に係る収納ケースの構成を示す正面断面図である。
【図６】本実施形態４に係る収納ケースの構成を示す正面断面図である。
【図７】本実施形態５に係る収納ケースの構成を示す正面断面図である。
【発明を実施するための形態】
【００２５】
以下、本発明の実施形態を図面に基づいて説明する。なお、以下の好ましい実施形態の説明は、本質的に例示に過ぎず、本発明、その適用物或いはその用途を制限することを意図するものではない。
【００２６】
《実施形態１》
図１に示すように、照明器具１０は、筐体１１と、光源装置１２と、支柱１４と、点灯装置１５とを備えている。
【００２７】
光源装置１２は、筐体１１の下面に設けられた複数の発光素子１３を有する。筐体１１は、支柱１４の上端部に取り付けられており、光源装置１２が所定の高さ位置で支持される。筐体１１内には、点灯装置１５が内蔵されている。
【００２８】
点灯装置１５は、発光素子１３に電力を供給して発光素子１３を点灯させるものであり、発光素子１３の点灯を制御するための制御回路が実装された基板１６（図３参照）と、基板１６を収納する収納ケース２０とを有する。
【００２９】
図２に示すように、収納ケース２０は、上方が開口した箱状に形成されている。収納ケース２０は、直方体状に形成されており、収納ケース２０の４つの側壁２１のうち、対向する一対の側壁２１（図２では左右の側壁２１）には、一対の突出部２５が設けられている。
【００３０】
一対の突出部２５は、収納ケース２０の左右の側壁２１において互いに向かい合う位置にそれぞれ設けられている。一対の突出部２５は、収納ケース２０の左右の側壁２１の前後方向に間隔をあけて２組設けられている。つまり、突出部２５は、左側の側壁２１に２つ、右側の側壁２１に２つ設けられている。なお、突出部２５の数は一例であり、突出部２５を左右の側壁２１に１つずつ設けたり、３つ以上ずつ設けるようにしてもよい。
【００３１】
突出部２５は、収納ケース２０の底面よりも上方に離れた位置で収納ケース２０の内部に向かって突出している。突出部２５は、収納ケース２０の開口から底面に向かって突出量が一定である平坦部２６と、平坦部２６に連続して収納ケース２０の底面に向かって突出量が小さくなるように円弧状に窪んだ円弧部２７とを有する。
【００３２】
図３に示すように、基板１６は、図示しない電子部品が実装された実装基板であり、収納ケース２０の底面に載置された状態で、収納ケース２０内に収納されている。
【００３３】
本実施形態では、収納ケース２０に基板１６を収納する際に、基板１６に応力が生じてストレスが加わらないように、収納ケース２０の各寸法を工夫するようにしている。以下では、一対の側壁２１が対向する方向（左右方向）に対して直交する方向（前後方向）から見たときの、収納ケース２０の各寸法について説明する。
【００３４】
具体的に、基板１６の長さＬ、収納ケース２０の底面側における一対の側壁２１間の距離Ｄ、一対の突出部２５間の距離が最小となる最小間隔ａ、一対の側壁２１のうち一方の側壁２１（図２では左側）と底面との隅部から他方の側壁２１（図２では右側）の突出部２５の円弧部２７の円弧面までの距離ｒが、以下の条件を満たすように設定されている。
【００３５】
Ｄ≧Ｌ、ｒ≧Ｌ＞ａ
図３に示す例では、最小間隔ａは、左右の突出部２５の平坦部２６間の距離である。
【００３６】
−収納ケース内に基板を収納する手順−
以下、収納ケース２０内に基板１６を収納する手順について説明する。図３に示すように、まず、収納ケース２０の上方の開口から左側の側壁２１と底面との隅部に向かって基板１６を斜めに挿入して、基板１６に左端部を収納ケース２０の左下隅部に当接させる。
【００３７】
そして、基板１６の左端部を収納ケース２０の左下隅部に当接させた状態のまま、収納ケース２０の左下隅部を中心として、基板１６の右端部を収納ケース２０の底面に向かって回転させていく。
【００３８】
このとき、基板１６の右端部は、突出部２５の円弧部２７の円弧面に沿って移動するので、基板１６と突出部２５の円弧部２７とが引っ掛かることはなく、収納ケース２０内に基板１６をスムーズに収納することができる。
【００３９】
そして、収納ケース２０の底面と基板１６とが平行な状態となり、収納ケース２０内に基板１６が収納された後は、例えば、収納ケース２０をひっくり返したとしても、基板１６の左右両端部が突出部２５の円弧部２７に引っ掛かるため、基板１６が収納ケース２０内から外れにくくなる。これにより、点灯装置１５の組み立て作業中に、基板１６が収納ケース２０から脱落するのを抑えることができる。
【００４０】
なお、最終的には、収納ケース２０内にシリコン樹脂やウレタン樹脂を封入することで、収納ケース２０内に基板１６を固定するようにしている。
【００４１】
《実施形態２》
図４は、本実施形態２に係る収納ケースの構成を示す正面断面図である。以下、前記実施形態１と同じ部分については同じ符号を付し、相違点についてのみ説明する。
【００４２】
図４に示すように、収納ケース２０は、上方が開口した箱状に形成されている。収納ケース２０の４つの側壁２１のうち、対向する一対の側壁２１（図４では左右の側壁２１）には、一対の突出部３５が設けられている。
【００４３】
突出部３５は、収納ケース２０の底面よりも上方に離れた位置で収納ケース２０の内部に向かって突出している。突出部３５は、収納ケース２０の開口から底面に向かって突出量が一定である平坦部３６と、平坦部３６に連続して収納ケース２０の底面に向かって突出量が小さくなるように仮想円弧面３８に沿って階段状に窪んだ複数の段差部３７とを有する。仮想円弧面３８は、複数の段差部３７の角部を連続的に繋ぐように延びている。
【００４４】
そして、基板１６の長さＬ、収納ケース２０の底面側における一対の側壁２１間の距離Ｄ、一対の突出部３５間の距離が最小となる最小間隔ａ、一対の側壁２１のうち一方の側壁２１（図４では左側）と底面との隅部から他方の側壁２１（図４では右側）の突出部３５の仮想円弧面３８までの距離ｒが、以下の条件を満たすように設定されている。
【００４５】
Ｄ≧Ｌ、ｒ≧Ｌ＞ａ
図４に示す例では、最小間隔ａは、左右の突出部３５の平坦部３６間の距離である。
【００４６】
−収納ケース内に基板を収納する手順−
以下、収納ケース２０内に基板１６を収納する手順について説明する。図４に示すように、まず、収納ケース２０の上方の開口から左側の側壁２１と底面との隅部に向かって基板１６を斜めに挿入して、基板１６に左端部を収納ケース２０の左下隅部に当接させる。
【００４７】
そして、基板１６の左端部を収納ケース２０の左下隅部に当接させた状態のまま、収納ケース２０の左下隅部を中心として、基板１６の右端部を収納ケース２０の底面に向かって回転させていく。
【００４８】
このとき、基板１６の右端部は、突出部３５の仮想円弧面３８に沿って移動するので、基板１６と突出部３５の階段状の段差部３７とが引っ掛かることはなく、収納ケース２０内に基板１６をスムーズに収納することができる。
【００４９】
そして、収納ケース２０の底面と基板１６とが平行な状態となり、収納ケース２０内に基板１６が収納された後は、例えば、収納ケース２０をひっくり返したとしても、基板１６の左右両端部が突出部３５の段差部３７に引っ掛かるため、基板１６が収納ケース２０内から外れにくくなる。これにより、点灯装置１５の組み立て作業中に、基板１６が収納ケース２０から脱落するのを抑えることができる。
【００５０】
《実施形態３》
図５は、本実施形態３に係る収納ケースの構成を示す正面断面図である。図５に示すように、収納ケース２０は、上方が開口した箱状に形成されている。収納ケース２０の４つの側壁２１のうち、対向する一対の側壁２１（図５では左右の側壁２１）には、一対の突出部２５，４５が設けられている。
【００５１】
一対の突出部２５，４５は、収納ケース２０の底面よりも上方に離れた位置で収納ケース２０の内部に向かって突出している。左側の突出部４５は、収納ケース２０の開口から底面に向かって突出量が一定である平坦部４６を有し、収納ケース２０の底面側の端部が切り欠かれた形状となっている。
【００５２】
右側の突出部２５は、収納ケース２０の開口から底面に向かって突出量が一定である平坦部２６と、平坦部２６に連続して収納ケース２０の底面に向かって突出量が小さくなるように円弧状に窪んだ円弧部２７とを有する。
【００５３】
そして、基板１６の長さＬ、収納ケース２０の底面側における一対の側壁２１間の距離Ｄ、一対の突出部２５，４５間の距離が最小となる最小間隔ａ、一対の側壁２１のうち一方の側壁２１（図５では左側）と底面との隅部から他方の側壁２１（図５では右側）の突出部２５の円弧部２７の円弧面までの距離ｒが、以下の条件を満たすように設定されている。
【００５４】
Ｄ≧Ｌ、ｒ≧Ｌ＞ａ
図５に示す例では、最小間隔ａは、左右の突出部２５，４５の平坦部２６，４６間の距離である。
【００５５】
なお、収納ケース２０内に基板１６を収納する手順については、前記実施形態１と略同様であるため、説明を省略する。
【００５６】
《実施形態４》
図６は、本実施形態４に係る収納ケースの構成を示す正面断面図である。図６に示すように、収納ケース２０は、上方が開口した箱状に形成されている。収納ケース２０の４つの側壁２１のうち、対向する一対の側壁２１（図６では左右の側壁２１）には、一対の突出部３５，４５が設けられている。
【００５７】
一対の突出部３５，４５は、収納ケース２０の底面よりも上方に離れた位置で収納ケース２０の内部に向かって突出している。左側の突出部４５は、収納ケース２０の開口から底面に向かって突出量が一定である平坦部４６を有し、収納ケース２０の底面側の端部が切り欠かれた形状となっている。
【００５８】
右側の突出部３５は、収納ケース２０の開口から底面に向かって突出量が一定である平坦部３６と、平坦部３６に連続して収納ケース２０の底面に向かって突出量が小さくなるように仮想円弧面３８に沿って階段状に窪んだ複数の段差部３７とを有する。仮想円弧面３８は、複数の段差部３７の角部を連続的に繋ぐように延びている。
【００５９】
そして、基板１６の長さＬ、収納ケース２０の底面側における一対の側壁２１間の距離Ｄ、一対の突出部３５，４５間の距離が最小となる最小間隔ａ、一対の側壁２１のうち一方の側壁２１（図６では左側）と底面との隅部から他方の側壁２１（図６では右側）の突出部３５の仮想円弧面３８までの距離ｒが、以下の条件を満たすように設定されている。
【００６０】
Ｄ≧Ｌ、ｒ≧Ｌ＞ａ
図６に示す例では、最小間隔ａは、左右の突出部３５，４５の平坦部３６，４６間の距離である。
【００６１】
なお、収納ケース２０内に基板１６を収納する手順については、前記実施形態２と略同様であるため、説明を省略する。
【００６２】
《実施形態５》
図７は、本実施形態５に係る収納ケースの構成を示す正面断面図である。図７に示すように、収納ケース２０の底面には、複数のスペーサ部４０が立設している。スペーサ部４０は、例えば、収納ケース２０の四隅に配置され、収納ケース２０の底面から上方に離れた位置で基板１６を支持する。
【００６３】
これにより、基板１６の下面に実装されている図示しない電子部品が、収納ケース２０の底面に干渉しないようにすることができる。
【産業上の利用可能性】
【００６４】
以上説明したように、本発明は、収納ケース内に基板をスムーズに収納するとともに、収納後の基板を収納ケース内から外れにくくすることができるという実用性の高い効果が得られることから、きわめて有用で産業上の利用可能性は高い。
【符号の説明】
【００６５】
１５    点灯装置
１６    基板
２０    収納ケース
２１    側壁
２５    突出部
２７    円弧部
３５    突出部
３７    段差部
３８    仮想円弧面
４０    スペーサ部
４５    突出部
【図１】
2020053211.tif 000003
【図２】
2020053211.tif 000004
【図３】
2020053211.tif 000005
【図４】
2020053211.tif 000006
【図５】
2020053211.tif 000007
【図６】
2020053211.tif 000008
【図７】
2020053211.tif 000009